(57)【要約】【課題】釣糸がスプールから上下に波打つような状態で放出される際の釣糸放出抵抗を効果的に軽減できる釣糸案内体を備えた魚釣用リールを提供する。【解決手段】魚釣用リールは、スプールから繰り出される釣糸Ｓを挿通させる釣糸案内体６０を備えたレベルワインド装置を有する。釣糸案内体６０は、左右方向に沿う幅寸法よりも上下方向に沿う高さ寸法が大きい長孔状の開口６５を形成する釣糸挿通部６０Ａを有する。釣糸案内体６０は、釣糸放出時には前方に回動されて釣糸挿通部６０Ａが上下方向に起立されるとともに、釣糸巻き取り時には後方に回動されて釣糸挿通部６０Ａが倒伏されることにより釣糸案内部７０が釣糸挿通部６０Ａに挿通される釣糸Ｓに接触される。【選択図】図７
2014076047.tif 000002
【特許請求の範囲】
【請求項１】
リール本体の左右側板間に回転自在に支持されたスプールと、
前記スプールから繰り出される釣糸を挿通させるとともに、ハンドルの回転操作に連動して前記スプールの前方において前記左右側板間で往復移動する釣糸案内体を備えたレベルワインド装置と、
を有する魚釣用リールにおいて、
前記釣糸案内体は、左右方向に沿う幅寸法よりも上下方向に沿う高さ寸法が大きい長孔状の開口を形成する釣糸挿通部を有し、
前記釣糸挿通部の上壁部のスプール側には、前記釣糸挿通部よりも幅狭に形成されるとともに、釣糸に接触して釣糸をスプールへと案内できる釣糸案内部が設けられ、
前記釣糸案内体は、前後方向に回動可能に構成され、釣糸放出時には前方に回動されて前記釣糸挿通部が上下方向に起立されるとともに、釣糸巻き取り時には後方に回動されて前記釣糸挿通部が倒伏されることにより前記釣糸案内部が前記釣糸挿通部に挿通される釣糸に接触されることを特徴とする魚釣用リール。
【請求項２】
前記釣糸案内部は、前記釣糸挿通部に挿通される釣糸を左右方向で保持する保持溝と、前記釣糸挿通部を通って延びる釣糸を前記保持溝へと誘導するテーパ面とを有することを特徴とする請求項１に記載の魚釣用リール。
【請求項３】
前記釣糸案内部は、外側のテーパ状の幅広部と、この幅広部に連通する内側の幅狭部とから成る溝状に形成されることを特徴とする請求項１に記載の魚釣用リール。
【請求項４】
前記釣糸案内体は、クラッチ機構のＯＮ／ＯＦＦ操作に連動して前後方向に回動されることを特徴とする請求項１ないし請求項３のいずれか１項に記載の魚釣用リール。
【請求項５】
リール本体の左右側板間に回転自在に支持されたスプールと、
前記スプールから繰り出される釣糸を挿通させるとともに、ハンドルの回転操作に連動して前記スプールの前方において前記左右側板間で往復移動する釣糸案内体を備えたレベルワインド装置と、
を有する魚釣用リールにおいて、
前記釣糸案内体は、左右方向に拡がる幅広の開口を形成する釣糸挿通部を有し、
前記釣糸挿通部の上壁部のスプール側には、前記釣糸挿通部よりも幅狭に形成されるとともに、釣糸に接触して釣糸をスプールへと案内できる釣糸案内部が設けられ、
前記釣糸案内体は、前後方向に回動可能に構成され、釣糸放出時には前方に回動されて前記釣糸挿通部が上下方向に起立されるとともに、釣糸巻き取り時には後方に回動されて前記釣糸挿通部が倒伏されることにより前記釣糸案内部が前記釣糸挿通部に挿通される釣糸に接触されることを特徴とする魚釣用リール。
【発明の詳細な説明】
【技術分野】
【０００１】
本発明は、スプールに釣糸を平行に巻回案内する釣糸案内体をスプール前方の側板間に備えた魚釣用リールに関する。
【背景技術】
【０００２】
従来、両軸受型タイプの魚釣用リールには、左右側板間に回転可能に支持されたスプールに対して釣糸を均等に巻回するようにレベルワインド装置が配設されている。このレベルワインド装置は、一方の側板側に回転可能に配設されたハンドルの巻き取り操作に連動してスプール前方で左右に往復動する釣糸案内体を備えており、前記釣糸案内体に釣糸が挿通されることでスプールに対して釣糸を平行に巻回することが可能となっている（例えば、特許文献１参照）。
【０００３】
ところで、このような釣糸案内体を備えた魚釣用リールでは、クラッチ機構を分離操作してスプールをフリー回転状態に切り換えることにより、釣糸がスプールから釣糸案内体を通して放出されることになるが、そのような釣糸放出時には、スプールに巻回されている釣糸と釣糸案内体との間の距離が近いことにより、また、釣糸を平行にスプールに巻回案内する必要から釣糸案内体の釣糸案内幅が比較的狭く形成されていること等により、釣糸放出抵抗が大きくなり、キャスティング時の飛距離が低下したり、あるいは、釣糸放出速度が低下するなどの問題が生じる。
【０００４】
そのため、特許文献２では、釣糸放出時に、ハンドルと反対側の側板に設けた操作部材の前方への操作により、外端（上端）に拡大した円形部を有する釣糸案内体を前方に回転させて、前記円形部を通して釣糸を放出させることによって、釣糸放出抵抗を軽減できるようにしている。
【先行技術文献】
【特許文献】
【０００５】
【特許文献１】実公昭６２−９８１０号公報
【特許文献２】特公昭３９−１１０３０号公報
【発明の概要】
【発明が解決しようとする課題】
【０００６】
しかしながら、特許文献２の釣糸案内体では、上側部分が拡大した円形部に形成されているが、下側部分は幅狭になっており、したがって、実際のキャスティング操作においてスプールに巻回されている釣糸が上下に波打つような状態で釣糸案内体を通して放出される際には、釣糸案内体の下側の幅狭部分が大きな釣糸放出抵抗を引き起こす。すなわち、釣糸放出時、スプールに巻回されている釣糸は、上下に波打つような状態で釣糸案内体の下側の幅狭部分に何度も繰り返し接触（衝突）しながら釣糸案内体を通じて放出されることになるため、釣糸放出抵抗が大きくなって、結局、キャスティング時の飛距離低下や釣糸放出速度の低下がもたらされることになる。
【０００７】
本発明は、上記した問題に着目してなされたものであり、釣糸がスプールから上下に波打つような状態で放出される際の釣糸放出抵抗を効果的に軽減できる釣糸案内体を備えた魚釣用リールを提供することを目的とする。
【課題を解決するための手段】
【０００８】
上記した目的を達成するために、本発明は、リール本体の左右側板間に回転自在に支持されたスプールと、前記スプールから繰り出される釣糸を挿通させるとともに、ハンドルの回転操作に連動して前記スプールの前方において前記左右側板間で往復移動する釣糸案内体を備えたレベルワインド装置とを有する魚釣用リールにおいて、前記釣糸案内体は、左右方向に沿う幅寸法よりも上下方向に沿う高さ寸法が大きい長孔状の開口を形成する釣糸挿通部を有し、前記釣糸挿通部の上壁部のスプール側には、前記釣糸挿通部よりも幅狭に形成されるとともに、釣糸に接触して釣糸をスプールへと案内できる釣糸案内部が設けられ、前記釣糸案内体は、前後方向に回動可能に構成され、釣糸放出時には前方に回動されて前記釣糸挿通部が上下方向に起立されるとともに、釣糸巻き取り時には後方に回動されて前記釣糸挿通部が倒伏されることにより前記釣糸案内部が前記釣糸挿通部に挿通される釣糸に接触されることを特徴とする。
【０００９】
上記した構成の魚釣用リールによれば、釣糸放出時には、釣糸案内体が前方に回動されて、前記釣糸挿通部が上下方向に起立されることにより、スプールの前方で前記釣糸挿通部の長孔状の開口が上下方向に長く且つ釣糸案内部よりも幅広く延在するため、上下に波打つように放出される釣糸に生じる接触抵抗および左右方向に移動しながら放出される釣糸に生じる接触抵抗等の軽減を図ることができ、キャスティング時の飛距離向上や釣糸放出速度の向上が可能になる。一方、釣糸巻き取り時には、釣糸案内体が後方に回動されて、前記釣糸挿通部が倒伏されることにより、前記釣糸案内部が前記釣糸挿通部に挿通される釣糸に接触されるため、幅の狭い釣糸案内部を介して釣糸をスプールへ案内することができ、良好で均質な平行糸巻き状態を得ることができる。
【００１０】
なお、上記構成において、「上下方向に沿う高さ寸法」とは、釣糸放出時における釣糸挿通部の起立状態での上下方向に沿う開口の寸法のことであり、釣糸放出時にスプールから上下に波打つような状態で放出される釣糸と開口を画定する釣糸挿通部の壁面とが干渉しないような寸法であることが好ましい。
【発明の効果】
【００１１】
本発明によれば、釣糸がスプールから上下に波打つような状態で放出される際の釣糸放出抵抗を効果的に軽減できる釣糸案内体を備えた魚釣用リールが得られる。
【図面の簡単な説明】
【００１２】
【図１】本発明に係る魚釣用リールを示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿う断面図であり、釣糸案内体が釣糸巻き取り状態（クラッチＯＮ状態）にあるときの図。
【図６】図１に示す魚釣用リールのＡ−Ａ線に沿う断面図であり、釣糸案内体が釣糸放出状態（クラッチＯＦＦ状態）にあるときの図。
【図７】釣糸案内体を拡大して示す斜視図（クラッチＯＮ状態）。
【図８】釣糸案内部の変形例を示す平面図。
【図９】釣糸案内部の更なる変形例を示し、（ａ）は釣糸案内体の正面図、（ｂ）は釣糸挿通部を情報から見た斜視図、（ｃ）は釣糸案内部の拡大図。
【図１０】（ａ）は結びコブ等を伴わない釣糸が釣糸案内部を通過する状態を示す図９の（ａ）のＢ−Ｂ線に沿う断面図、（ｂ）は結びコブ等を伴う釣糸が釣糸案内部を通過する状態を示す図９の（ａ）のＢ−Ｂ線に沿う断面図。
【図１１】左右方向に拡がる幅広の開口を形成する釣糸挿通部を有する釣糸案内体を備える魚釣用リールの平面図。
【図１２】図１１の魚釣用リールの釣糸案内体を拡大して示す斜視図。
【図１３】図１２に示す釣糸案内体を分解した状態を示す斜視図。
【図１４】図１２に示す釣糸案内体の一部断面を有する正面斜視図。
【発明を実施するための形態】
【００１３】
以下、図面を参照しながら本発明に係る魚釣用リールの一実施形態について説明する。なお、以下において、前後方向、左右方向、および、上下方向は、図１および図２に矢印で示される向きで定義される。
【００１４】
特に図１に示されるように、本実施形態に係る魚釣用リールは、左右のフレーム２ａ，２ｂを左右カバー３ａ，３ｂで覆った左右側板１Ａ，１Ｂを備えたリール本体１を有している。リール本体１には、左右側板１Ａ，１Ｂ間に位置し、図示しない釣竿に装着されるリール脚１Ｃが一体形成されている。また、左右のフレーム２ａ，２ｂ間には、スプール軸５が軸受を介して回転可能に支持されており、スプール軸５には、釣糸Ｓが巻回されるスプール５Ａが一体的に固定されている。さらに、左右側板１Ａ，１Ｂ間には、スプール５Ａに対して上方側に、指を載置可能なサムレスト１Ｄが設けられている。
【００１５】
本実施形態では、スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態とに切り換える公知のクラッチ機構２０が配設されており、このクラッチ機構２０は、スプール５Ａの後方側の左右側板１Ａ，１Ｂ間に配設されたクラッチ切り換え操作部材（以下、操作部材と称する）２１を押し下げ操作することで、クラッチＯＮ状態（動力伝達状態であり釣糸巻き取り状態）からクラッチＯＦＦ状態（動力遮断状態であり、釣糸放出状態）へ切り換えられるようになっている。なお、クラッチＯＦＦ状態からクラッチＯＮ状態への復帰は、後述する自動復帰機構３０（図２参照）によってハンドル８を回転操作することで行うことが可能となっている。
【００１６】
また、左右の側板１Ａ，１Ｂ間には、スプール５Ａの釣糸繰出し方向側に、レベルワインド装置５０が配設されている。このレベルワインド装置５０は、ハンドル８を回転操作することで、釣糸Ｓを挿通する釣糸案内体６０が左右に往復移動するよう構成されており、釣糸Ｓの巻き取り操作に伴って、スプール５Ａに対して釣糸Ｓを均等に巻回する機能を有する。
【００１７】
駆動力伝達機構１０は、ハンドル８が固定されたハンドル軸８ａにドラグ機構と関連して回転可能に装着された駆動歯車１１と、この駆動歯車１１に噛合するピニオン１２とを備えている。ピニオン１２は、スプール軸５と同軸上に設置されており、ピニオン軸（スプール軸５であっても良い）１２ａに沿って軸方向に移動可能となっている。また、ピニオン１２の外周には、円周溝１２ｂが形成されており、この円周溝１２ｂに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００１８】
クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、図２および図３に示されるように、右フレーム２ｂに上下方向に形成された連結孔２ｄを介して操作部材２１と連結されており、クラッチプレート２５に形成された長孔２５ａに、右フレーム２ｂに突出するように設けられたピン２ｅが挿入されて、その回動駆動が案内されるようになっている。
【００１９】
クラッチプレート２５の表面には、公知のように、ピニオン１２の円周溝１２ａに係合したヨーク２２と係合可能な一対のカム面２５ｃが形成されている。ヨーク２２の先端側は、右フレーム２ｂに突設された支持ピン２７によって保持されており、ヨーク２２は、各支持ピン２７に配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸５の端部に形成されている係合部に嵌合してクラッチＯＮ状態となっている。
【００２０】
クラッチプレート２５は、操作部材２１が、図２の矢印に示すように押下げ操作されると反時計回り方向に回動され、カム面２５ｃおよびヨーク２２を介して、ピニオン１２をスプール軸５の端部に形成されている係合部から離脱させ、図３に示すように、クラッチＯＦＦ状態に切り換える。なお、この状態は、振り分けバネ２３によって保持される。
【００２１】
また、クラッチプレート２５には、クラッチをＯＦＦ状態からＯＮ状態にする自動復帰機構３０が設けられている。この自動復帰機構３０は、クラッチプレート２５に一体的に設けられるキック部材３１と、ハンドル軸８ａに回り止め固定されるラチェット３２とを備えており、キック部材３１は、クラッチＯＮからクラッチＯＦＦに切り換えると、図３に示すように、ラチェット３２の回転軌跡内に侵入するように配置されて構成されている。このため、クラッチＯＦＦ状態において、ハンドル８を巻き取り操作すると、ラチェット３２の回転によりキック部材３１がキックされて、自動的にクラッチプレート２５がクラッチＯＮ状態の位置に復帰され、その復帰状態が再び振り分けバネ２３のバネ力で保持される。なお、クラッチの復帰は、操作部材２１を押し上げ操作しても行うことが可能である。
【００２２】
スプール５Ａの前方側の左右側板１Ａ，１Ｂ間には、レベルワインド装置５０が配置されている。以下、レベルワインド装置５０の構成について、図４〜図７を併せて参照しながら説明する。
【００２３】
レベルワインド装置５０は、スプール５Ａに巻回された釣糸Ｓを挿通させる釣糸挿通部６０Ａを有する釣糸案内体６０を備えており、この釣糸案内体６０は、軸受５２（図４参照）を介して左右側板１Ａ，１Ｂ間に回転可能に支持され且つ駆動力伝達機構１０を介して回転可能に駆動される螺軸（ウォームシャフト）５１によって、左右往復駆動されるよう構成されている。すなわち、螺軸５１の右フレーム２ｂ側には、ハンドル軸８ａに装着された駆動歯車１１と隣接して配設されてハンドル軸８ａと一体的に回転する連結ギア（図示せず）と噛合する入力ギア５３が設けられており、螺軸５１は、連結ギア及び入力ギア５３を介して、ハンドル８の回転駆動と同期して回転駆動されるようになっている。
【００２４】
螺軸５１は、左右側板１Ａ，１Ｂ間に回動可能に保持される管状体（筒体）５５内に収容された状態となっており、管状体５５の外面には、軸方向に延出する長孔５５ａが形成され、螺軸５１の表面に形成された螺旋溝５１ａを軸方向に沿って部分的に露出させている。また、釣糸Ｓを挿通させる釣糸案内体６０は、釣糸挿通部６０Ａと保持部６０Ｂとを一体的に備えており、保持部６０Ｂが管状体５５を囲繞するように配置されて形成されている。
【００２５】
保持部６０Ｂは、その内部に、長孔５５ａを介して螺旋溝５１ａと係合する摺動子６１を保持している。この摺動子６１は、袋ナット６２によって、保持部６０Ｂに対して固定される。また、釣糸案内体６０は、螺軸５１の回転に伴って、螺旋溝５１ａと摺動子６１との係合関係により、軸方向に沿って移動しつつ、管状体５５の周りで回転しないように回り止めされている。本実施形態の構成では、管状体５５の外周に軸方向に沿って延出する回り止め部５５ｂを形成しており、回り止め部５５ｂに対して保持部６０Ｂの係合部６４を係合させることで、回り止めを果たしている。具体的には、回り止め部５５ｂは、管状体５５の外周に軸方向に延出する突起（図５，図６に示すように、１８０°間隔で一対設けられている）として構成されており、係合部６４は、そのような突起に入り込む凹部として構成されている。
【００２６】
上記のように、螺軸５１を収容する管状体５５に回り止め部５５ｂを一体形成することで、従来のように、釣糸案内体６０を回り止めするガイド軸を配設する必要がなくなり、レベルワインド装置５０の構造を簡素化することが可能となる。
【００２７】
また、釣糸案内体６０は、螺軸５１が回転駆動されると、摺動子６１を介して左右側板１Ａ，１Ｂ間で往復駆動されるとともに、本実施形態では、上述したクラッチ機構２０のＯＮ／ＯＦＦに連動して釣糸巻き取り状態と釣糸放出状態との間で切り換えられるように、回動可能に構成されている。この場合、釣糸案内体６０の回動駆動については、管状体５５を回動駆動することで成されるようになっている。
【００２８】
ここで、クラッチ機構２０から管状体５５への動力伝達経路を具体的に説明する。
クラッチプレート２５には、リール本体１の前方側に向けて突出する突片２５ｂが形成されており、その先端には、右フレーム２ｂ側に向けて突出する係合突起２５ｃが一体形成されている。一方、右フレーム２ｂには、螺軸５１が支持される部分に回動プレート５９が保持されており（図４参照）、管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００２９】
回動プレート５９は、螺軸５１を回転可能に支持する軸受５２の外輪と右フレーム２ｂとの間で回動可能に支持されており、右フレーム２ｂの外面側に沿って、クラッチプレート２５の突片２５ｂと係合する連結片５９ｂが形成されている。そして、連結片５９ｂには、長孔５９ｃが形成されており、この長孔５９ｃに、クラッチプレート２５の突片２５ｂの係合突起２５ｃが遊挿されることで、回動プレート５９は、図２および図３に示されるように、クラッチプレート２５の回動に伴って螺軸５１の軸芯を中心に回動されるようになっている。したがって、回動プレート５９は、振り分けバネ２３によって、釣糸巻き取り状態と釣糸放出状態との間で振り分け保持されるクラッチプレート２５とともに、２つの位置で切り換えられるようになっている。
【００３０】
釣糸案内体６０は、回動プレート５９を介して、管状体５５が回動駆動されることで、スプール５Ａの前方において、前後方向に回動駆動される。すなわち、釣糸案内体６０は、釣糸放出状態（釣糸放出時）では前方に回動されて釣糸挿通部６０Ａが上下方向に起立される（図６参照）とともに、釣糸巻き取り状態（釣糸巻き取り時）では後方に回動されて釣糸挿通部６０Ａが倒伏されることにより後述する釣糸案内部７０が釣糸挿通部６０Ａに挿通される釣糸Ｓに接触される（図５および図７参照）ようになっている。ここで、釣糸案内体６０の釣糸挿通部６０Ａの構成について、具体的に説明する。
【００３１】
釣糸挿通部６０Ａは、スプール５Ａからの釣糸Ｓを挿通させる部分であり、ＳＵＳ、チタン等やメッキ処理を施した釣糸抵抗が少ない硬質材料によるフレーム体６０Ｆとして構成されており、図７に示されるように、別体の保持部６０Ｂとともに一体的に形成されている。具体的には、釣糸挿通部６０Ａは、左右方向に沿う幅Ｗ寸法（図７参照）よりも上下方向に沿う高さＨ寸法（図６参照；図６に示される釣糸放出時における釣糸挿通部６０Ａの起立状態での上下方向に沿う開口６５の寸法）が大きい長孔状の開口６５を形成する。なお、本実施形態において、開口６５を画定するフレーム体６０Ｆは、釣糸放出状態で側面視した際、前後方向に対して傾斜した状態（後方側に向けて次第に立ち上がる形状）となっている（図６参照）。
【００３２】
上下方向に延びる開口６５は、図６に示される釣糸放出状態で、スプール５Ａの釣糸巻回領域全体を正面視で開口６５を通じて視認できるような範囲にわたって上下に延びていることが好ましい。具体的には、例えば、開口６５の上下方向の寸法Ｈは、８〜１２ｍｍであり、例えば、好ましくは幅Ｗ寸法の２〜５倍である。
【００３３】
また、釣糸挿通部６０Ａの上壁部６８ａのスプール側（フレーム体６０Ｆの上端部のスプール５Ａと対向する表面部位）には、釣糸挿通部６０Ａの開口６５よりも幅狭に形成されるとともに、釣糸Ｓに接触して釣糸Ｓをスプール５Ａへと案内できる釣糸案内部７０が設けられている。この釣糸案内部７０は、図８の（ａ）に明確に示されるように、釣糸挿通部６０Ａの開口６５に挿通される釣糸Ｓを左右方向で保持する保持溝７４と、釣糸挿通部６０Ａを通って延びる釣糸Ｓを保持溝７４へと誘導するテーパ面７２とを有する。
【００３４】
釣糸案内部７０は、釣糸案内体６０が釣糸放出状態（図３および図６の状態）から釣糸巻き取り状態（図２、図５、および、図７に示される状態）へと回動した際、開口６５を貫いてスプール５Ａへと延びる釣糸Ｓに対して上側から当接できる位置関係となっており、釣糸Ｓを左右方向で保持して離脱させないように規制する。すなわち、釣糸案内部７０は、そこに入り込んだ釣糸Ｓの左右方向のブレを防止して、スプール５Ａに対して安定して釣糸Ｓを平行巻きする機能（糸巻状態を向上する機能）を有する。
【００３５】
なお、本実施形態では、釣糸案内部７０を形成するフレーム体６０Ｆの部位６０Ｆａ（図８の（ａ）に斜線で示される部位）を金属（例えば、アルミニウムや銅合金等）から形成し、これに耐摩耗性を向上させる表面処理（アルマイト処理、メッキ処理等）を施すことが好ましい。このようにすることで、釣糸放出時や釣糸巻き取り時に釣糸が接触しても、切れることを防止でき、かつ接触抵抗を更に軽減することが可能となる。また、保持溝７４は、図８の（ｂ）に示されるように、テーパ面７２から更に上下方向に細く延びる保持溝７４’であってもよく、あるいは、釣糸案内部７０は、図８の（ｃ）に示されるように、保持溝がなく、テーパ面７２が奥部で点により収束する断面がＶ形状であってもよい。
【００３６】
次に、上述したように構成される魚釣用リールの作用および効果について説明する。  
図２および図５に示されるクラッチＯＮ状態において、スプール５Ａの後方側に位置する操作部材２１を押し下げ操作すると、クラッチ機構２０を構成するクラッチプレート２５は、反時計回りに回動され、振り分けバネ２３によって、図３に示される状態に保持される。このとき、クラッチプレート２５の表面に形成されたカム面２５ｃがヨーク２２を軸方向にシフトさせ、ピニオン１２をスプール軸５から離脱させる（クラッチＯＦＦ状態）。また、この操作によるクラッチプレート２５の回動に伴って、回動プレート５９は、螺軸５１の軸芯を中心に回動され、これに回り止めされている管状体５５は、図２（図５）に示される位置から、図３（図６）に示される位置に回動される。
【００３７】
したがって、釣糸案内体６０は、管状体５５に保持されていることから、図２，５，７に示される状態から、図３および図６に示されるように前方へ回動される。すなわち、釣糸挿通部６０Ａが倒伏状態から前方に回動されて上下方向に起立される。そして、このように回動された釣糸案内体６０は、スプール５Ａがフリー回転可能な状態（釣糸放出状態）となっており、釣糸案内部７０に入り込んでいた釣糸Ｓの規制を解除して釣糸Ｓが上下左右に波打ちながら放出されるのを許容する。
【００３８】
このようなスプール５Ａのフリー回転可能状態でキャスティング操作等により釣糸Ｓを放出しても、釣糸案内体６０がスプール５Ａの前方において図３および図６に示される状態に回動されてその開口６５が上下方向に長く且つ釣糸案内部７０よりも幅広に延びているため、開口６５の内面から接触抵抗を受けることが少なく、仕掛けの飛距離を低下させるようなことはない。すなわち、釣糸を放出する際に、釣糸案内体６０からの放出抵抗を軽減することが可能となる。
【００３９】
そして、クラッチ機構２０をＯＮに復帰させるべく、ハンドル８を巻き取り操作すると、自動復帰機構３０によって、クラッチプレート２５は、図２に示される位置に自動復帰する。このクラッチプレート２５のＯＮ状態の復帰に伴って、管状体５５は、回動プレート５９を介して、図２および図５に示される状態に回動され、釣糸案内体６０は、図２，５，７に示される位置に切り換えられる。このとき、開口６５を通り抜けてスプール５Ａへと延びる釣糸Ｓには、回動する釣糸案内部７０が上方から当て付いて押し付けられる。この場合、釣糸Ｓは、釣糸案内部７０のテーパ面７２に沿って保持溝７４へと容易に導かれる。したがって、図５および図７に示されるように、この釣糸巻き取り状態では、釣糸Ｓは、釣糸案内部７０によって左右方向で保持されてここから離脱することはない。
【００４０】
その後、ハンドル８を巻き取り操作することで、レベルワインド装置５０の螺軸５１は、ハンドル軸８ａに設けられた連結ギアおよびこれに噛合する入力ギア５３を介して回転駆動される。螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部７０によって、スプール５Ａに対して、安定して平行巻きされる。
【００４１】
以上説明したように、本実施形態の魚釣用リールによれば、釣糸放出時には、釣糸案内体６０が前方に回動されて、釣糸挿通部６０Ａが上下方向に起立されることにより、スプール５Ａの前方で釣糸挿通部６０Ａの長孔状の開口６５が上下方向に長く且つ釣糸案内部７０よりも幅広く延在するため、上下に波打つように放出される釣糸Ｓに生じる接触抵抗および左右方向に移動しながら放出される釣糸に生じる接触抵抗等の軽減を図ることができ、キャスティング時の飛距離向上や釣糸放出速度の向上が可能になる。一方、釣糸巻き取り時には、釣糸案内体６０が後方に回動されて、釣糸挿通部６０Ａが倒伏されることにより、釣糸案内部７０が釣糸挿通部６０Ａに挿通される釣糸Ｓに接触されるため、幅の狭い釣糸案内部７０を介して釣糸Ｓをスプール５Ａへ案内することができ、良好で均質な平行糸巻き状態を得ることができる。
【００４２】
図９および図１０には、釣糸案内部の更なる変形例が示されている。この変形例に係る釣糸案内部７０Ａも、釣糸挿通部６０Ａの上壁部６８ａのスプール側（フレーム体６０Ｆの上端部のスプール５Ａと対向する表面部位）に設けられて、釣糸挿通部６０Ａの開口６５よりも幅狭に形成されるが、特に、この変形例の釣糸案内部７０Ａは、図９の（ｃ）に明確に示されるように、外側の幅広部９１と、この幅広部９１に連通する内側（奥側）の幅狭部９０とから成る溝状に形成される。
【００４３】
具体的には、溝状のこの釣糸案内部７０Ａは、釣糸挿通部６０Ａのフレーム体６０Ｆの上壁部６８ａの後端縁６９に所定の幅で開口する開口部８５を有しており、この開口部８５を起点として開口部８５の両側から開口６５側（内側）へ向けて徐々に幅狭となるようにテーパ状に延びる（開口部８５へ向けてテーパ状に広がる）テーパ面８３，８３によって幅広部９１が形成される。また、テーパ面８３，８３の内側終端部は、開口部８５の幅寸法よりも小さい直径の円を描く幅寸法の狭い幅狭部９０（保持溝）へと繋がっている。そして、幅広部９１および幅狭部９０はいずれも釣糸挿通部６０Ａの開口６５に挿通される釣糸Ｓを左右方向で保持できるとともに、幅広部９１は、釣糸挿通部６０Ａを通って延びる釣糸Ｓを幅狭部９０へと誘導する。
【００４４】
したがって、このような構成の釣糸案内部７０Ａでは、釣糸巻き取り時に、釣糸案内体６０が後方に回動されて、釣糸挿通部６０Ａが倒伏されることにより、釣糸案内部７０Ａが釣糸挿通部６０Ａに挿通される釣糸Ｓに接触されると、その釣糸Ｓの直径または状態に応じて幅広部９１および幅狭部９０のいずれかによって選択的に釣糸Ｓを保持することができる。すなわち、結びコブ等を伴わない釣糸部位Ｓ１または細径の釣糸Ｓ１においては、この釣糸部位Ｓ１または釣糸Ｓ１を幅狭部９０により保持してスプール５Ａへと案内することができ（図９の（ｃ）および図１０の（ａ）参照）、一方、結びコブ等を伴う釣糸部位Ｓ２または太径の釣糸Ｓ２においては、この釣糸部位Ｓ２または釣糸Ｓ２を幅広部９１により保持してスプール５Ａへと案内することができ（図９の（ｃ）および図１０の（ｂ）参照）。あるいは、別の言い方をすると、通常は、釣糸Ｓ１を幅狭部９０により保持してスプール５Ａへと良好に案内することができるが、結びコブ等を伴う釣糸Ｓ１の部位Ｓ２が釣糸案内部７０Ａを通過する際には、その部位Ｓ２を幅広部９１へと逃がしてこの幅広部９１により釣糸Ｓ１をスプール５Ａへと案内できる（結びコブ等の有無を問わず釣糸Ｓ１が引っ掛かりなくスムーズに釣糸案内部７０Ａを通過できる）。より具体的には、結びコブ等を伴う釣糸Ｓ１の部位Ｓ２が幅狭部９０に当接すると同時に、釣糸案内体６０（釣糸挿通部６０Ａ）がクラッチ機構の振り分けバネ２３（図２および図３参照）の付勢力に抗して僅かに上方へ動き（図１０の（ｂ）に一点鎖線で示される状態から実線で示される状態へと距離Ｘだけ上方へ動き）、それにより、部位Ｓ２を幅広部９１へと逃がして（結びコブ等を幅広部９１で受け入れる）釣糸Ｓ１を無理なくスプール５Ａへと案内し、その後、部位Ｓ２が幅広部９１を通り過ぎた時点から再び釣糸Ｓ１を幅狭部９０を介してスプール５Ａへ案内する。
【００４５】
ところで、以上説明してきた釣糸案内部７０，７０Ａは、左右方向に沿う幅寸法よりも上下方向に沿う高さ寸法が大きい実施形態で説明したが、前述した上下方向に長孔状の開口６５を形成する釣糸挿通部６０Ａだけでなく、左右方向に長い開口６８を形成する釣糸挿通部６０Ａにも同様に適用できる。そのような例が図１１〜図１４に示されている。
【００４６】
すなわち、図１１〜図１４に示されるように、釣糸案内体６０の保持部６０Ｂは、軽量化が図れる材料、例えば、樹脂材によって一体形成されており、前方側に向けて突出形成された突起部６０Ｂａ内に摺動子６１（前述した第１の実施形態の図５および図６参照）を保持している。この摺動子６１は、前述したように、突起部６０Ｂａに嵌合される袋ナット６２（図５および図６参照）によって、保持部６０Ｂに対して固定される。また、保持部６０Ｂには、挿通孔６０Ｂｂが形成されており、この挿通孔６０Ｂｂには管状体５５（図５および図６参照）が挿通される（以上は第１の実施形態も同様）。
【００４７】
釣糸案内体６０の釣糸挿通部６０Ａ’は、スプール５Ａからの釣糸Ｓを挿通させる部分であり、前述した実施形態と同様に、ＳＵＳ、チタン等の釣糸抵抗が少ない材料によるフレーム体６０Ｆとして一体形成されている。具体的に、この釣糸挿通部６０Ａ’は、略対称となるように左右方向に拡がる幅広の開口６８を備えている。
【００４８】
開口６８は、釣糸放出状態となったときの正面視（挿通される釣糸Ｓに沿って前方から見た正面視）で、左右方向に拡がる略楕円形状となるように形成されている。
【００４９】
開口６８を有するフレーム体６０Ｆは、釣糸放出状態で側面視した際、前後方向に対して傾斜した状態（後方側に向けて次第に立ち上がる形状）となっており、開口６８を形成する上壁６８ａは、釣糸放出状態では、前後方向に沿った状態となって、可能な限り広い開口を確保できるようになっている。そして、開口６８を形成する前後方向に沿った上壁６８ａの後端縁６９には、釣糸放出状態から釣糸巻き取り状態に回動した際、開口部６８内に挿通されている釣糸Ｓに対して、上側から当接できる位置関係となっており、釣糸Ｓに接触して釣糸Ｓをスプール５Ａへと案内できる前述した溝状の釣糸案内部７０（または７０Ａ）が設けられている。
【００５０】
保持部６０Ｂは、前述したように、樹脂材等によって一体形成されており、フレーム体６０Ｆとは別体として構成されている。すなわち、釣糸案内体６０は、異なる材料によって形成されたフレーム体６０Ｆ（釣糸挿通部６０Ａ’）と保持部６０Ｂが分割して一体化されており、これにより、釣糸案内体６０は、全体として軽量化を図りつつ、コストの低減を図っている。
【００５１】
保持部６０Ｂと釣糸挿通部６０Ａ’は、それぞれを別体として形成しておき、これらを一体化（接着等による一体化）しても良いが、本実施形態では、両者は着脱可能に一体化されている。具体的には、保持部６０Ｂに、フレーム体６０Ｆを受ける受け部６０Ｂｃを形成すると共に、釣糸挿通部６０Ａ’（フレーム体６０Ｆ）に受け部６０Ｂｃに当て付いて位置決めされる当接部６０Ａａ（図１３参照）を形成している。この場合、当接部６０Ａａは、開口６８の下部中央位置から下方に向けて延出した延出部６０Ａｂの下面によって構成され、受け部６０Ｂｃは、そのような下面が当て付く面として構成され、両者は互いに面接する平坦面として形成されている。また、受け部６０Ｂｃには、嵌合穴６０Ｂｄ（図１４参照）が形成され、当接部６０Ａａには、嵌合穴６０Ｂｄに嵌合する嵌合突部６０Ａｃ（図１３および図１４参照）が形成されている。そして、保持部６０Ｂには、挿通孔６０Ｂｂと平行となるようにビス孔６０Ｂｅが形成されており、嵌合突起６０Ａｃにも、嵌合突起６０Ａｃを嵌合穴６０Ｂｄに嵌め込んだ際、ビス孔６０Ｂｅと同軸上にビス孔６０Ａｄが形成されている。
【００５２】
これにより、釣糸挿通部６０Ａ’の係合突起６０Ａｃを、保持部６０Ｂの嵌合穴６Ｂｄに嵌め込み（図１３および図１４参照）、当接部６０Ａａを受け部６０Ｂｃに当て付けて両者を位置決めした状態で、固定部材（ビス）９０を螺入することで、釣糸挿通部６０Ａ’と保持部６０Ｂは、着脱可能に一体化される。すなわち、釣糸挿通部６０Ａ’を保持部６０Ｂに対して容易に着脱することが可能となっている。
このように、左右方向に長い開口６８を形成する釣糸挿通部６０Ａに釣糸案内部７０，７０Ａを適用しても釣糸規制として前述した実施形態と同様の作用効果を得ることができる。
【００５３】
なお、本発明は、前述した実施形態や変形例等に限定されず、その要旨を逸脱しない範囲で種々変形して実施できる。例えば、釣糸案内体６０については、その形状を適宜、変形することが可能である。また、前述した実施形態では、釣糸案内体６０をクラッチ機構２０と連動して回動するように構成したが、クラッチ機構とは連動しなくても良い。また、釣糸案内体６０を回動するに際しては、管状体５５の外周に、軸方向に延出する突起を設けて回り止めしたが、管状体５５に形成される長孔５５ａのエッジによって回り止めするようにしても良い。また、釣糸案内部７０の形態は、釣糸を左右方向で安定的に保持できればどのような形態であってもよい。また、保持部６０Ｂに対して釣糸挿通部６０Ａをネジ等で着脱可能に構成して、釣糸の放出・巻き取り性の微調整を行なったり、メンテナンス性の向上を図るようにしてもよい。
【符号の説明】
【００５４】
１  リール本体
１Ａ，１Ｂ  左右側板
５  スプール軸
５Ａ  スプール
８  ハンドル
２０  クラッチ機構
５０  レベルワインド装置
６０  釣糸案内体
６０Ａ  釣糸挿通部
６５，６８  開口
７０，７０Ａ  釣糸案内部
７２  テーパ面
７４  保持溝
９０  幅狭部
９１  幅広部
【図１】
2014076047.tif 000003
【図２】
2014076047.tif 000004
【図３】
2014076047.tif 000005
【図４】
2014076047.tif 000006
【図５】
2014076047.tif 000007
【図６】
2014076047.tif 000008
【図７】
2014076047.tif 000009
【図８】
2014076047.tif 000010
【図９】
2014076047.tif 000011
【図１０】
2014076047.tif 000012
【図１１】
2014076047.tif 000013
【図１２】
2014076047.tif 000014
【図１３】
2014076047.tif 000015
【図１４】
2014076047.tif 000016